(57)【要約】【課題】  被施療者が座ったまま足を前側に移動させるだけでマッサージ機にセットできることで足の移動が少ない足のマッサージ機を提供する。【解決手段】  足底マッサージ手段７上に乗せた被施療者１２の脹脛１３を駆動装置２によって左右方向から挟み揉み可能に立設されてなる一対の脛揉み施療子３を少なくとも備えてなる足のマッサージ機１であって、前記脛揉み施療子３は、被施療者１２の足１４を後ろ側ＲＲから挿入可能なるように後ろ側ＲＲが離間した位置に配設されてなる。【選択図】      図２
2006304864.tif 000002
【特許請求の範囲】
【請求項１】
足底マッサージ手段上に乗せた被施療者の脛を駆動装置によって左右方向から挟み揉み可能に立設されてなる一対の脛揉み施療子を少なくとも備えてなる脚のマッサージ機であって、
前記脛揉み施療子は、被施療者の脚を後ろ側から挿入可能なるように、後ろ側が離間した位置に配設されてなることを特徴とする脚のマッサージ機。
【請求項２】
請求項１に記載の脚のマッサージ機であって、
前記被施療者の脛に対向する前記脛揉み施療子の面に、エアによる加圧減圧の繰り返しにより前記被施療者の脛のマッサージを可能としたエアバッグを備えてなることを特徴とする脚のマッサージ機。
【請求項３】
請求項１又は請求項２に記載の脚のマッサージ機であって、
前記脛揉み施療子は、立設角度が調節自在なることを特徴とする脚のマッサージ機。
【請求項４】
請求項１乃至請求項３の何れか１項に記載の脚のマッサージ機であって、
前記脛揉み施療子とは別体に、被施療者の足背を施療可能なる足揉み施療子が形成されてなり、
前記脛揉み施療子は、取り外し可能なることを特徴とする脚のマッサージ機。
【請求項５】
請求項１乃至請求項３の何れか１項に記載の脚のマッサージ機であって、
前記脛揉み施療子と一体に、被施療者の足背を施療可能なる足揉み施療子が形成されてなることを特徴とする脚のマッサージ機。
【請求項６】
請求項１乃至請求項５の何れか１項に記載の脚のマッサージ機であって、
前記足底マッサージ手段は、被施療者の足の底のマッサージを可能としてなることを特徴とする脚のマッサージ機。
【請求項７】
請求項６に記載の脚のマッサージ機であって、
前記足底マッサージ手段は、被施療者の足底に対して刺激可能な突出部を有するローラと、該ローラと同心軸に支持され且つ前記ローラの回転と同期して脛揉み施療子のアームを左右に移動可能なる傾斜軸とを回転可能に支持してなることを特徴とする脚のマッサージ機。
【発明の詳細な説明】
【技術分野】
【０００１】
この発明は、被施療者の脚、特に脛に刺激を与え得る脚のマッサージ機に関するものである。
【背景技術】
【０００２】
従来の脛を刺激するマッサージ機としては、フロントケースと、該フロントケースの前側、即ち被施療者から離れる側の面に形成された溝に差し込んだ脛を固定する固定バンドと、前記フロントケースの溝内に移動可能なるローラとにより、脛のマッサージを行うものがある。また、フロントケースの中央隔壁とサイド隔壁とに設置されたエアポンプを駆動させることで、揉む手段が膨張と収縮を繰り返しながら、脛を揉めるようになっているものがある（例えば特許文献１。）。
【特許文献１】実用新案登録第３０８９３３１号公報
【発明の開示】
【発明が解決しようとする課題】
【０００３】
しかしながら、かかる従来技術は、被施療者が脛をマッサージ或いは揉むためには、脚を持ち上げるか股を拡げて両脚を回り込ませるかしてフロントケースの前側に移動させなければならないことになり、そうした作動が比較的困難な老齢者や身障者である被施療者には、過大な行動を要求することになり、改善が望まれている。
【０００４】
そこで、この発明は、このような従来の技術の欠点に着目してなされたものであり、被施療者が座ったまま脚を前側に移動させるだけでマッサージ機にセットできることで脚の移動が少ない脚のマッサージ機を提供するものである。
【課題を解決するための手段】
【０００５】
請求項１に記載の発明は、足底マッサージ手段上に乗せた被施療者の脛を駆動装置によって左右方向から挟み揉み可能に立設されてなる一対の脛揉み施療子を少なくとも備えてなる脚のマッサージ機であって、前記脛揉み施療子は、被施療者の脚を後ろ側から挿入可能なるように後ろ側が離間した位置に配設されてなることを特徴とする。この発明において、「脚」とは、人が歩く働きをする器官を意味し、足、脛（脹脛を含む）、大腿部などの総称である。同じく「足」とは、脚の足首から先の部分を意味し、足底、足背（足の甲）、足先よりなる器官の総称である。また、「足背を施療可能」とは、足背を指すのみでなく、足指、くるぶし周りの施療も意味する。また、「脛揉み施療子」とは、膝から足首までの部分の全体或いは一部を施療する場合も含むものである。更に、マッサージ、指圧、揉み、さすりは、施療一般を意味するものであって、この発明では同等と解釈する。
【０００６】
請求項２に記載の発明は、請求項１に記載の脚のマッサージ機であって、前記被施療者の脛に対向する前記脛揉み施療子の面に、エアによる加圧減圧の繰り返しにより前記被施療者の脛のマッサージを可能としたエアバッグを備えてなることを特徴とする。
【０００７】
請求項３に記載の発明は、請求項１又は請求項２に記載の脚のマッサージ機であって、前記脛揉み施療子は、立設角度が調節自在なることを特徴とする。
【０００８】
請求項４に記載の発明は、請求項１乃至請求項３の何れか１項に記載の脚のマッサージ機であって、前記脛揉み施療子とは別体に、被施療者の足背を施療可能なる足揉み施療子が形成されてなり、前記脛揉み施療子は、取り外し可能なることを特徴とする。
【０００９】
請求項５に記載の発明は、請求項１乃至請求項３の何れか１項に記載の脚のマッサージ機であって、前記脛揉み施療子と一体に、被施療者の足背を施療可能なる足揉み施療子が形成されてなることを特徴とする。
【００１０】
請求項６に記載の発明は、請求項１乃至請求項５の何れか１項に記載の脚のマッサージ機であって、前記足底マッサージ手段は、被施療者の足の底のマッサージを可能としてなることを特徴とする。
【００１１】
請求項７に記載の発明は、請求項６に記載の脚のマッサージ機であって、前記足底マッサージ手段は、被施療者の足底に対して刺激可能な突出部を有するローラと、該ローラと同心軸に支持され且つ前記ローラの回転と同期して脛揉み施療子のアームを左右に移動可能なる傾斜軸とを回転可能に支持してなることを特徴とする。
【発明の効果】
【００１２】
請求項１に記載の発明によれば、前記脛揉み施療子は、被施療者の脚を後ろ側から挿入可能なるように後ろ側が離間した位置に配設されてなるので、被施療者が座ったまま脚を前側に移動させて足底マッサージ手段に乗せるだけで、脚のマッサージ機にセットできることになり、脚の移動が少なくてすむことになる。
【００１３】
請求項２に記載の発明によれば、被施療者の脛に対向する前記脛揉み施療子の面に、エアによる加圧減圧の繰り返しにより前記被施療者の脛のマッサージを可能としたエアバッグを備えてなるので、脛が快適に刺激を受け、血液の循環性を高めることができる。
【００１４】
請求項３に記載の発明によれば、脛揉み施療子は、立設角度が調節自在なることで、より広範囲且つ脚の長さの差にこだわらない効果的な脚のマッサージができる。
【００１５】
請求項４に記載の発明によれば、前記脛揉み施療子とは別体に、被施療者の足背を施療可能なる足揉み施療子が形成されてなり、前記脛揉み施療子は、取り外し可能なることで、足のみのマッサージをしたい場合には、別体の脛揉み施療子を取り外して施療できることになる。また、足揉み施療子と脛揉み施療子とが分解できるので、マッサージ機として箱などに収める場合の小型化が可能となる。
【００１６】
請求項５に記載の発明によれば、脛揉み施療子と一体に、被施療者の足背を施療可能なる足揉み施療子が形成されてなるので、一つの金型で成形することも可能であり、原価が大幅に低減できる。
【００１７】
請求項６に記載の発明によれば、前記足底マッサージ手段は、被施療者の足の底のマッサージを可能としてなることで、脛と共に足の底に対して心地よいマッサージ感を被施療者に与えることができる。
【００１８】
請求項７に記載の発明によれば、足底マッサージ手段は、被施療者の足底に対して刺激可能な突出部を有するローラよりなるので、被施療者の足底のツボなどを適切に圧力を加えることが可能となり、心地よいマッサージ感を被施療者に与えることができる。また、ローラと同心軸に支持され且つ前記ローラの回転と同期して脛揉み施療子のアームを左右に移動可能なる傾斜軸とを回転可能に支持してなるので、ローラの回転により、該ローラと同心軸の傾斜軸によりアームを左右に移動させて脛に刺激を与えることができ、アームを移動させる手段が特別なものでなくて良い分、全体構造がコンパクトになる。
【発明を実施するための最良の形態】
【００１９】
被施療者が座ったまま脚を前側に移動させるだけでマッサージ機にセットできることで脚の移動が少ない脚のマッサージ機を提供する、という目的を、足底マッサージ手段上に乗せた被施療者の脛を駆動装置によって左右方向から挟み揉み可能に立設されてなる一対の脛揉み施療子を少なくとも備えてなる脚のマッサージ機であって、前記脛揉み施療子は、被施療者の脚を後ろ側から挿入可能なるように後ろ側が離間した位置に配設されてなることで、実現した。
【実施例１】
【００２０】
図１乃至図８は、この発明の第１実施例を示す図である。
【００２１】
符号１は、脚のマッサージ機で、該脚のマッサージ機１は、第１カバー１５と、第２カバー１６とよりなる。
【００２２】
前記第１カバー１５は、被施療者の足１４の底（図示省略）を支持可能なる足底マッサージ手段７を下側ＤＷ及び前側ＦＲから覆う足底保護カバー１７と、該足底保護カバー１７の上側ＵＰを覆うことで足１４の甲を保持する足甲保護カバー１８とよりなる。
【００２３】
前記第２カバー１６は、第１カバー１５の後側ＲＲの両サイドに立設されてなるサイド隔壁２０，２０と、該サイド隔壁２０，２０の間にあってサイド隔壁２０，２０に適宜離間した中央位置に立設されてなる中央隔壁１９とよりなる。前記中央隔壁１９とサイド隔壁２０，２０との間には、後側ＲＲから前側ＦＲに前記被施療者の脚１２を挿入可能なる開口２１，２１がそれぞれ形成されてなる。該開口２１，２１は、被施療者の右脚１２Ｒ及び左脚１２Ｌがそれぞれ挿入可能な幅を有する。
【００２４】
前記足底マッサージ手段７は、被施療者の足１４のつま先１４ｂの足底をマッサージ可能な第１足底施療子２５と、同じく足１４の土踏まず（図示省略）の足底をマッサージ可能な第２足底施療子２６と、同じく足１４のかかと１４ａの足底をマッサージ可能な第３足底施療子２７とよりなり、前側ＦＲから後側ＲＲに第１足底施療子２５と第２足底施療子２６と第３足底施療子２７とが順番に並んで支持されている。
【００２５】
左脚１２Ｌ用の第３足底施療子２７の駆動装置２を、図７及び図８を参照して説明する。右脚１２Ｒ用の駆動装置は、図７に示す駆動装置２と左右対称であるので、図示及び説明を割愛する。図示しないモータの回転駆動力をウオームである回転軸とヘリカルギア等を介して従動する中空の駆動軸３０中に、送りねじ３１が螺合されている。送りねじ３１には、傾斜軸１１の一方である可変側傾斜軸１１ａが組み付けられている。前記駆動軸３０には、傾斜軸１１の他方である固定側傾斜軸１１ｂと、ローラ８と、ギア３２とが支持されている。
【００２６】
前記ローラ８の周面には、適宜の突出部９が複数配設されていて、前記ローラ８は、被施療者のかかと１４ａの底側が乗る位置に配されている。前記突出部９は、被施療者のかかと１４ａの足底へのより高い圧接力が生じ得るように突状を為している。
【００２７】
前記送りねじ３１の端部にブレーキ３３が配設されていて、該送りねじ３１の回転を停止させる。通常は送りねじ３１と駆動軸３０とは一緒に回転するが、ブレーキ３３を稼働させると、駆動軸３０はそのまま回転されるが、送りねじ３１が回転を停止され、送りねじ３１に組付けられている可変側傾斜軸１１ａが左右方向に移動する。つまり、左右方向に移動しない固定側傾斜軸１１ｂと、左右方向に移動する可変側傾斜軸１１ａとの幅が変わることになる。該ブレーキ３３は、電磁式であると手動式であるとを問わない。
【００２８】
前記可変側傾斜軸１１ａと固定側傾斜軸１１ｂとには、被施療者の脚１２、特に脹脛１３を左右から挟むように一対の脛揉み施療子３，３が取付けられている。該脛揉み施療子３，３は、可変側傾斜軸１１ａと固定側傾斜軸１１ｂとの傾きに沿った状態で支持されることで、駆動軸３０の回転によって、脛揉み施療子３，３同士が接近した位置及び離間した位置との間を繰り返し動作を行うように設けられている為、広げた状態で被施療者の脚１２を前側ＦＲに移動して脛揉み施療子３，３間に入れることで、ローラ８など第１乃至第３足底施療子２５〜２７の上に乗せることができる。被施療者の足１４の足先１４ｂの底側及び土踏まず並びにかかと１４ａの３カ所と想定される部位に対して下側ＤＷから刺激を与えることができると共に脹脛１３が左右方向から挟み揉みされる。
【００２９】
前記脛揉み施療子３，３は、可変側傾斜軸１１ａと固定側傾斜軸１１ｂとの傾きに沿った状態で下端部がベアリングＢを介して回転自在に軸支されることで離間した位置に配されて開口２１が形成されてなる左右対称のアーム１０と、該アーム１０の上端部に駆動軸３０に対して傾斜するように支持された揉み板３６，３７と、該揉み板３６，３７の上端部に形成されてなるエアによる加圧減圧の繰り返しにより前記被施療者の脹脛１３のマッサージを可能としたエアバッグ５とより構成される。該エアバッグ５の内側、即ち、被施療者の脹脛１３に面する側にクッション性を有する弾性体が設けられていても良い。
【００３０】
前記脛揉み施療子３，３とは別体に、被施療者の足１４の甲側や足１４の側部を施療することが可能なる足揉み施療子６が形成されてなり、該足揉み施療子６は、第２足底施療子２６に同軸上に支持されて、施療者の足１４の表側（甲側）を保持している。該足揉み施療子６に対して、前記脛揉み施療子３，３は、別体なので、適宜取り外しが可能である。
【００３１】
前記脛揉み施療子３，３は、図５及び図６に示すように、立設角度が調節自在である。即ち、前記可変側傾斜軸１１ａ及び固定側傾斜軸１１ｂに下端部が軸支されてなるアーム１０は、可変側傾斜軸１１ａ及び固定側傾斜軸１１ｂによって図５の実線で示す最前位置から二点鎖線で示す最後位置まで傾斜することが可能である。足底保護カバー１７に該アーム１０の角度調節手段３５が配されている。該角度調節手段３５は、図６に示すように、前記可変側傾斜軸１１ａ及び固定側傾斜軸１１ｂの軸芯１１ａａ（固定側傾斜軸１１ｂの軸芯は図示しない）を中心とする円弧状の凹部３５ａに適宜の係合凹部３５ｂを複数（この実施例の場合、真下及びその前側ＦＲに向けて都合５個）形成し、該係合凹部３５ｂの何れかに係合可能なるボールベアリング状の係合子３５ｃがコイル状スプリング３５ｄにより出没自在に係合している。符号３５ｅは、アーム１０の下端部より垂下されたピン３５ｆに支持されたブロックで、前記係合子３５ｃが出没可能であり且つコイル状スプリング３５ｄが内蔵されてなる。従って、アーム１０は、前後に回転すると共に左右にも揺動可能であって、アーム１０が最も左右に広がる位置は図５に実線で示す停止位置とし、図５に二点鎖線で示す位置では最も左右に広がる位置では停止しないように機能している。
【００３２】
前記エアバッグ５について、図３及び図４を用いて説明する。前記エアバッグ５には、給排気可能なエア供給源３８及び圧力調節器３９がホース４０にて配管されており、その途中に一定圧以上の圧力が生じた場合、排気するようにした安全用機械式弁（図示省略）が設けられている。エアバッグ５は、前記したように、揉み板３６，３７の対向する面に配されるだけでなく、対向する足揉み施療子６，６の対向する面側に設けているエアバッグ５ａも含める。
【００３３】
かかる第１実施例の構成による作用について、次に説明する。
【００３４】
前記脛揉み施療子３，３は、被施療者の脚１２を後側ＲＲから挿入可能なるように後側ＲＲが離間した位置に配設されてなるので、被施療者が座ったまま脚１２を前側ＦＲに移動させるだけでマッサージ機１にセットできることになり、脚１２の移動が少なくてすむことになる。
【００３５】
被施療者の脹脛１３に対向する前記脛揉み施療子３，３の面４に、エアによる加圧減圧の繰り返しにより前記被施療者の脹脛１３のマッサージを可能としたエアバッグ５を備えてなるので、脹脛１３が快適に刺激を受け、血液の循環性を高めることができる。
【００３６】
脛揉み施療子３，３は、立設角度が調節自在なることで、より広範囲且つ脚１２の長さの差にこだわらない効果的な脚１２のマッサージができる。
【００３７】
前記足底マッサージ手段７は、被施療者の足１４の底のマッサージを可能としてなることで、脹脛１３と共に足１４の底に対して心地よいマッサージ感を被施療者に与えることができる。
【００３８】
足底マッサージ手段７は、被施療者の足１４の底に対して刺激可能な突出部９を有するローラ８よりなるので、被施療者の足１４の底のツボなどを適切に圧力を加えることが可能となり、心地よいマッサージ感を被施療者に与えることができる。また、ローラ８と同心軸に支持され且つ前記ローラ８の回転と同期して脛揉み施療子３，３のアーム１０を左右に移動可能なる傾斜軸１１（１１ａ，１１ｂ）とを回転可能に支持してなるので、ローラ８の回転により、該ローラ８と同心軸の傾斜軸１１（１１ａ，１１ｂ）によりアーム１０を左右に移動させて脹脛１３に刺激を与えることができ、アーム１０を移動させる手段が特別なものでなくて良い分、全体構造がコンパクトになる。
【実施例２】
【００３９】
図９は、この発明の第２実施例を示す図である。符号４０は、この実施例のアームで、該アーム４０は、可変側傾斜軸１１ａ及び固定側傾斜軸１１ｂに下端部が軸支されてなる下側アーム４１と、前記揉み板３６，３７（符号３７は図示を省略する）を上端部に支持した上側アーム４２とよりなり、下側アーム４１の上端部と上側アーム４２の下端部とがジョイント部４３により図９に示すように結合されたり、上側アーム４２を取り外したりできるようになっている。
【００４０】
かかる実施例により、前記脛揉み施療子３，３とは別体に、被施療者の足１４を施療可能なる足揉み施療子６，６が形成されてなり、前記脛揉み施療子３，３は、ジョイント部４３で取り外し可能なることで、足１４のみのマッサージをしたい場合には、別体の脛揉み施療子３，３をジョイント部４３で取り外して施療できることになる。また、足揉み施療子６，６と脛揉み施療子３，３とが分解できるので、図９の高さＨ分だけ小さくできることになり、マッサージ機１として梱包時の小型化が可能となる。
【実施例３】
【００４１】
図１０は、この発明の第３実施例を示す図である。符号５０は、脛揉み施療子５１と一体に、被施療者の足１４を施療可能なる足揉み施療子５２が形成されてなる脚のマッサージ機である。図１０には、第１足底施療子２５及び第２足底施療子２６が図示されていないが、図２に示す構造と同じであるので、割愛した。
【００４２】
かかる実施例により、脛揉み施療子５１と一体に、被施療者の足１４を施療可能なる足揉み施療子５２が形成されてなるので、一つの金型で成形することも可能であり、原価が大幅に低減できる。
【産業上の利用可能性】
【００４３】
前記実施例においては、足１４の甲を足甲保護カバー１８により覆う旨説明したが、該足甲保護カバー１８の代りに、前側から足を出すことが可能な開口を形成していても良い。
【図面の簡単な説明】
【００４４】
【図１】この発明の第１実施例に係る脚のマッサージ器を示す斜視図。
【図２】図１のカバーを外した状態における図１とは逆側から見た斜視図。
【図３】図１のカバーを外した状態における斜視図。
【図４】図３のエアバッグの概略説明図。
【図５】図３の側面図。
【図６】図５の一部拡大側面図。
【図７】図２の駆動装置の斜視図。
【図８】図７の駆動装置の断面説明図。
【図９】この発明の第２実施例に係る図５相当側面図。
【図１０】この発明の第３実施例に係る図２相当斜視図。
【符号の説明】
【００４５】
１，５０  脚のマッサージ機
２  駆動装置
３，５１  脛揉み施療子
４  面
５，５ａ  エアバッグ
６，５２  足揉み施療子
７  足底マッサージ手段
８  ローラ
１０，４０  アーム
１１  傾斜軸
１１ａ  傾斜軸の一方である可変側傾斜軸
１１ｂ  傾斜軸の他方である固定側傾斜軸
１２  被施療者の脚
１３  被施療者の脹脛
１４  被施療者の足
２１  開口
３０  駆動軸
３１  送りねじ
３６，３７  揉み板
ＤＷ  下側
ＦＲ  前側
【図１】
2006304864.tif 000003
【図２】
2006304864.tif 000004
【図３】
2006304864.tif 000005
【図４】
2006304864.tif 000006
【図５】
2006304864.tif 000007
【図６】
2006304864.tif 000008
【図７】
2006304864.tif 000009
【図８】
2006304864.tif 000010
【図９】
2006304864.tif 000011
【図１０】
2006304864.tif 000012